(57)【要約】【課題】複数の転送先の中から受信したファクシミリデータに関する情報に応じた転送先を選択する際のユーザの利便性が向上すること。【解決手段】データ受信部と、データ転送部と、制御部と、を備え、制御部は、データ受信部を用いて、外部のファクシミリ装置からファクシミリデータを受信するデータ受信処理と、データ受信処理で受信したファクシミリデータの転送先の選択を受け付ける選択画面であって、ファクシミリデータに関する情報に対応付けられている転送先が、情報に対応付けられていない転送先より優先して表示される選択画面を出力する出力処理（Ｓ２０２〜Ｓ２０６）と、データ転送部を用いて、選択画面で選択された転送先にファクシミリデータを転送する転送処理（Ｓ２０７）と、を実行するファクシミリ装置。【選択図】図６
2015070392.tif 000002
【特許請求の範囲】
【請求項１】
データ受信部と、
データ転送部と、
制御部と、
を備え、
前記制御部は、
前記データ受信部を用いて、外部のファクシミリ装置からファクシミリデータを受信するデータ受信処理と、
前記データ受信処理で受信したファクシミリデータの転送先の選択を受け付ける選択画面であって、前記ファクシミリデータに関する情報に対応付けられている転送先が、前記情報に対応付けられていない転送先より優先して表示される選択画面を出力する出力処理と、
前記データ転送部を用いて、前記選択画面で選択された転送先に前記ファクシミリデータを転送する転送処理と、
を実行するファクシミリ装置。
【請求項２】
データ受信部と、
データ転送部と、
制御部と、
を備え、
前記制御部は、
前記データ受信部を用いて、外部のファクシミリ装置からファクシミリデータを受信するデータ受信処理と、
前記データ受信処理で受信したファクシミリデータの転送先の選択を受け付ける選択画面であって、前記ファクシミリデータに関する情報に対応付けられている転送先であるか否かが識別可能に表示される選択画面を出力する出力処理と、
前記データ転送部を用いて、前記選択画面で選択された転送先に前記ファクシミリデータを転送する転送処理と、
を実行するファクシミリ装置。
【請求項３】
請求項１又は請求項２に記載のファクシミリ装置であって、
前記ファクシミリデータに関する情報は、前記ファクシミリデータが表す画像に有彩色が含まれているか否かを示す情報である、ファクシミリ装置。
【請求項４】
請求項１又は請求項２に記載のファクシミリ装置であって、
前記ファクシミリデータに関する情報は、前記ファクシミリデータが表す画像の画質を示す情報である、ファクシミリ装置。
【請求項５】
請求項１に記載のファクシミリ装置であって、
前記制御部は、前記出力処理において、前記ファクシミリデータに関する情報に対応付けられている転送先が表示され、当該情報に対応付けられていない転送先は表示されない前記選択画面を出力する、ファクシミリ装置。
【請求項６】
請求項１に記載のファクシミリ装置であって、
前記制御部は、前記出力処理において、前記ファクシミリデータに関する情報に対応付けられている転送先が、当該情報に対応付けられていない転送先より先に表示される前記選択画面を出力する、ファクシミリ装置。
【請求項７】
請求項１乃至請求項６のいずれか一項に記載のファクシミリ装置であって、
記憶部を備え、
前記記憶部は、ファクシミリデータの転送先にサインインするためのサインイン情報を記憶し、
前記制御部は、前記出力処理において、前記記憶部に前記サインイン情報が記憶されている転送先のうち少なくとも前記ファクシミリデータに関する情報に対応付けられている転送先が表示され、前記サインイン情報が記憶されていない転送先は表示されない前記選択画面を出力する、ファクシミリ装置。
【請求項８】
請求項１乃至請求項７のいずれか一項に記載のファクシミリ装置であって、
前記制御部は、
ファクシミリデータを転送するか否かの設定を受け付ける設定処理を実行し、
前記設定処理によってファクシミリデータを転送する設定がされている場合は前記出力処理を実行し、
前記設定処理によってファクシミリデータを転送しない設定がされている場合は前記出力処理を実行しない、ファクシミリ装置。
【請求項９】
請求項１乃至請求項８のいずれか一項に記載のファクシミリ装置であって、
表示部と、
操作部と、
を備え、
前記制御部は、
前記操作部を用いて、ファクシミリデータの受信指示を受け付ける受付処理を実行し、
前記データ受信処理において、前記受付処理で前記受信指示を受け付けると外部のファクシミリ装置からファクシミリデータを受信し、
前記出力処理において、前記受付処理で前記受信指示を受け付けた場合は前記選択画面を前記表示部に出力する、ファクシミリ装置。
【請求項１０】
請求項１乃至請求項９のいずれか一項に記載のファクシミリ装置であって、
前記制御部は、
前記データ受信処理の前に、自装置の能力をファクシミリデータの送信元に通知する能力通知処理と、
前記能力通知処理の後、前記ファクシミリデータに関する情報を受信する関連情報受信処理と、
を実行し、
前記関連情報受信処理で受信した前記ファクシミリデータに関する情報に基づき前記出力処理を実行する、ファクシミリ装置。
【請求項１１】
請求項１乃至請求項１０のいずれか一項に記載のファクシミリ装置であって、
記憶部を備え、
前記記憶部は、前記出力処理を実行するか否かをファクシミリデータの送信元に応じて判断するための判断情報を記憶し、
前記制御部は、
前記データ受信処理で受信したファクシミリデータの送信元が前記出力処理を実行する送信元であるか否かを前記判断情報に基づいて判断する判断処理を実行し、
前記判断処理で前記出力処理を実行する送信元であると判断した場合に前記出力処理を実行する、ファクシミリ装置。
【請求項１２】
請求項１乃至請求項１１のいずれか一項に記載のファクシミリ装置であって、
記憶部を備え、
前記記憶部は、ファクシミリデータの送信元と転送先とを対応付けて記憶し、
前記制御部は、前記ファクシミリデータの送信元に転送先が対応付けられていない場合に前記出力処理を実行する、ファクシミリ装置。
【請求項１３】
請求項１１又は請求項１２に記載のファクシミリ装置であって、
前記制御部は、ファクシミリデータの送信元との通信を確立する際に、前記送信元を識別する識別情報を受信する識別受信処理を実行し、
前記識別受信処理で受信した識別情報によって送信元を識別する、ファクシミリ装置。
【発明の詳細な説明】
【技術分野】
【０００１】
ファクシミリデータを転送する技術に関する。
【背景技術】
【０００２】
従来、ファクシミリデータの送信先の一覧を表示して送信先の選択を受け付け、選択された送信先にファクシミリデータを送信するファクシミリ装置が知られている（例えば、特許文献１参照）。
【先行技術文献】
【特許文献】
【０００３】
【特許文献１】特開２００７−３１２３３６号公報
【発明の概要】
【発明が解決しようとする課題】
【０００４】
しかしながら、上述した従来の技術はファクシミリデータに関する情報に関係なく送信先の一覧を表示させるので、送信先を選択する際のユーザの利便性を向上させる上で改良の余地があった。ところで、上述した従来の技術は送信先の選択を受け付けるものであるが、受信したファクシミリデータの転送先の一覧を表示して転送先の選択を受け付ける場合についても同様である。
【０００５】
本明細書では、複数の転送先の中から受信したファクシミリデータに関する情報に応じた転送先を選択する際のユーザの利便性が向上する技術を開示する。
【課題を解決するための手段】
【０００６】
本明細書によって開示されるファクシミリ装置は、データ受信部と、データ転送部と、制御部と、を備え、前記制御部は、前記データ受信部を用いて、外部のファクシミリ装置からファクシミリデータを受信するデータ受信処理と、前記データ受信処理で受信したファクシミリデータの転送先の選択を受け付ける選択画面であって、前記ファクシミリデータに関する情報に対応付けられている転送先が、前記情報に対応付けられていない転送先より優先して表示される選択画面を出力する出力処理と、前記データ転送部を用いて、前記選択画面で選択された転送先に前記ファクシミリデータを転送する転送処理と、を実行する。
【０００７】
上記ファクシミリ装置によると、受信したファクシミリデータに関する情報に対応付けられている転送先が、当該情報に対応付けられていない転送先より優先して表示されるので、ファクシミリデータに関する情報に関係なく転送先を表示する場合に比べ、複数の転送先の中から受信したファクシミリデータに関する情報に応じた転送先を選択する際のユーザの利便性が向上する。
【０００８】
本明細書によって開示されるファクシミリ装置は、データ受信部と、データ転送部と、制御部と、を備え、前記制御部は、前記データ受信部を用いて、外部のファクシミリ装置からファクシミリデータを受信するデータ受信処理と、前記データ受信処理で受信したファクシミリデータの転送先の選択を受け付ける選択画面であって、前記ファクシミリデータに関する情報に対応付けられている転送先であるか否かが識別可能に表示される選択画面を出力する出力処理と、前記データ転送部を用いて、前記選択画面で選択された転送先に前記ファクシミリデータを転送する転送処理と、を実行する。
【０００９】
上記ファクシミリ装置によると、受信したファクシミリデータに関する情報に対応付けられている転送先であるか否かが識別可能に表示されるので、ファクシミリデータに関する情報に関係なく転送先を表示する場合に比べ、複数の転送先の中から受信したファクシミリデータに関する情報に応じた転送先を選択する際のユーザの利便性が向上する。
【００１０】
また、前記ファクシミリデータに関する情報は、前記ファクシミリデータが表す画像に有彩色が含まれているか否かを示す情報であってもよい。
【００１１】
上記ファクシミリ装置によると、ファクシミリデータに関する情報が、有彩色が含まれていることを示す情報である場合は有彩色が含まれていることを示す情報に対応付けられている転送先が優先して表示されるので、有彩色が含まれていることを示す情報に応じた転送先を選択する際のユーザの利便性が向上する。また、上記ファクシミリ装置によると、ファクシミリデータに関する情報が、有彩色が含まれていないことを示す情報である場合は有彩色が含まれていないことを示す情報に対応付けられている転送先が優先して表示されるので、有彩色が含まれていないことを示す情報に応じた転送先を選択する際のユーザの利便性が向上する。
【００１２】
また、前記ファクシミリデータに関する情報は、前記ファクシミリデータが表す画像の画質を示す情報であってもよい。
【００１３】
上記ファクシミリ装置によると、ファクシミリデータが表す画像の画質を示す情報に対応付けられている転送先が優先して表示されるので、ファクシミリデータが表す画像の画質を示す情報に応じた転送先を選択する際のユーザの利便性が向上する。
【００１４】
また、前記制御部は、前記出力処理において、前記ファクシミリデータに関する情報に対応付けられている転送先が表示され、当該情報に対応付けられていない転送先は表示されない前記選択画面を出力してもよい。
【００１５】
上記ファクシミリ装置によると、受信したファクシミリデータに関する情報に対応付けられている転送先を、当該情報に対応付けられていない転送先より優先して表示させることができる。
【００１６】
また、前記制御部は、前記出力処理において、前記ファクシミリデータに関する情報に対応付けられている転送先が、当該情報に対応付けられていない転送先より先に表示される前記選択画面を出力してもよい。
【００１７】
上記ファクシミリ装置によると、受信したファクシミリデータに関する情報に対応付けられている転送先を、当該情報に対応付けられていない転送先より優先して表示させることができる。
【００１８】
また、上記ファクシミリ装置は、記憶部を備え、前記記憶部は、ファクシミリデータの転送先にサインインするためのサインイン情報を記憶し、前記制御部は、前記出力処理において、前記記憶部に前記サインイン情報が記憶されている転送先のうち少なくとも前記ファクシミリデータに関する情報に対応付けられている転送先が表示され、前記サインイン情報が記憶されていない転送先は表示されない前記選択画面を出力してもよい。
【００１９】
サインイン情報が記憶されていない転送先にはファクシミリデータを転送できない。上記ファクシミリ装置によると、ファクシミリデータを転送できない転送先が選択画面に表示されてしまわないようにすることができる。
【００２０】
また、前記制御部は、ファクシミリデータを転送するか否かの設定を受け付ける設定処理を実行し、前記設定処理によってファクシミリデータを転送する設定がされている場合は前記出力処理を実行し、前記設定処理によってファクシミリデータを転送しない設定がされている場合は前記出力処理を実行しないようにしてもよい。
【００２１】
上記ファクシミリ装置によると、ファクシミリデータを転送しない設定がされている場合は選択画面を出力しないことにより、選択画面の不要な出力を抑制できる。
【００２２】
また、上記ファクシミリ装置は、表示部と、操作部と、を備え、前記制御部は、前記操作部を用いて、ファクシミリデータの受信指示を受け付ける受付処理を実行し、前記データ受信処理において、前記受付処理で前記受信指示を受け付けると外部のファクシミリ装置からファクシミリデータを受信し、前記出力処理において、前記受付処理で前記受信指示を受け付けた場合は前記選択画面を前記表示部に出力してもよい。
【００２３】
ファクシミリ装置が備える操作部でユーザがファクシミリデータの受信指示を行った場合は、ファクシミリ装置が受信指示を受け付けたとき、ユーザがファクシミリ装置の近くにいる可能性が高い。このため、操作部で受信指示を受け付けた場合はファクシミリ装置が備える表示部に選択画面を出力すると、受信指示を行ったユーザはその場で転送先を選択することができる。このため、ファクシミリ装置以外の装置に選択画面を出力する場合に比べ、受信指示を行ったユーザの利便性が向上する。
【００２４】
また、前記制御部は、前記データ受信処理の前に、自装置の能力をファクシミリデータの送信元に通知する能力通知処理と、前記能力通知処理の後、前記ファクシミリデータに関する情報を受信する関連情報受信処理と、を実行し、前記関連情報受信処理で受信した前記ファクシミリデータに関する情報に基づき前記出力処理を実行してもよい。
【００２５】
上記ファクシミリ装置によると、自装置の能力に応じたファクシミリデータに関する情報に基づいて選択画面を出力することができる。
【００２６】
また、上記ファクシミリ装置は、記憶部を備え、前記記憶部は、前記出力処理を実行するか否かをファクシミリデータの送信元に応じて判断するための判断情報を記憶し、前記制御部は、前記データ受信処理で受信したファクシミリデータの送信元が前記出力処理を実行する送信元であるか否かを前記判断情報に基づいて判断する判断処理を実行し、前記判断処理で前記出力処理を実行する送信元であると判断した場合に前記出力処理を実行してもよい。
【００２７】
上記ファクシミリ装置によると、選択画面を出力するか否かをファクシミリデータの送信元に応じて異ならせることができる。
【００２８】
また、上記ファクシミリ装置は、記憶部を備え、前記記憶部は、ファクシミリデータの送信元と転送先とを対応付けて記憶し、前記制御部は、前記ファクシミリデータの送信元に転送先が対応付けられていない場合に前記出力処理を実行してもよい。
【００２９】
ファクシミリデータの送信元に転送先が対応付けられている場合は対応付けられている転送先にファクシミリデータを転送すればよいので出力処理の実行は不要である。上記ファクシミリ装置によると、ファクシミリデータの送信元に転送先が対応付けられていない場合に出力処理を実行するので、ファクシミリデータの送信元に転送先が対応付けられている場合にも出力処理を実行する場合に比べ、出力処理の不要な実行を抑制できる。
【００３０】
また、前記制御部は、ファクシミリデータの送信元との通信を確立する際に、前記送信元を識別する識別情報を受信する識別受信処理を実行し、前記識別受信処理で受信した識別情報によって送信元を識別してもよい。
【００３１】
上記ファクシミリ装置によると、識別情報を受信することにより、ファクシミリデータの送信元を識別することができる。
【００３２】
なお、本明細書によって開示される技術は、ファクシミリシステム、ファクシミリ転送方法、ファクシミリ転送プログラム、ファクシミリ転送プログラムを記録した記録媒体等の種々の態様で実現することができる。
【発明の効果】
【００３３】
上記のファクシミリ装置によると、複数の転送先の中から受信したファクシミリデータに関する情報に応じた転送先を選択する際のユーザの利便性が向上する。
【図面の簡単な説明】
【００３４】
【図１】実施形態１に係るＦＡＸ受信・転送システムの全体構成を示す模式図。
【図２】ＦＡＸ装置の電気的構成を簡略化して示すブロック図。
【図３】対応付けテーブルを示す模式図。
【図４】選択画面の模式図。
【図５】ＦＡＸデータを受信したときの処理のフローチャート。
【図６】選択・転送処理のフローチャート。
【図７】転送処理のフローチャート。
【図８】実施形態２に係るＦＡＸデータを受信したときの処理のフローチャート。
【図９】実施形態３に係るＦＡＸデータを受信したときの処理のフローチャート。
【図１０Ａ】実施形態４に係る選択画面の模式図。
【図１０Ｂ】選択画面の模式図。
【図１０Ｃ】選択画面の模式図。
【発明を実施するための形態】
【００３５】
＜実施形態１＞
実施形態１を図１ないし図７によって説明する。
【００３６】
（１）ＦＡＸ受信・転送システムの全体構成
図１を参照して、実施形態１に係るＦＡＸ受信・転送システム１の全体構成について説明する。ＦＡＸ受信・転送システム１は、ＦＡＸ装置１０、１以上の外部のＦＡＸ装置１１（１１Ａ〜１１Ｎ）、及び、１以上のクラウドサーバ１２（１２Ａ〜１２Ｆ）を備えて構成されている。ＦＡＸはファクシミリの略称である。ＦＡＸ装置１０はファクシミリ装置の一例である。また、クラウドサーバ１２は転送先の一例である。
【００３７】
ＦＡＸ装置１０と外部のＦＡＸ装置１１とは電話網１３を介して通信可能に接続されている。また、ＦＡＸ装置１０とクラウドサーバ１２とはＬＡＮ（Ｌｏｃａｌ  Ａｒｅａ  Ｎｅｔｗｏｒｋ）やインターネットなどの通信ネットワーク１４を介して通信可能に接続されている。
【００３８】
ＦＡＸ装置１０は外部のＦＡＸ装置１１との間でＦＡＸデータを送受信する装置である。ＦＡＸ装置１０は外部のＦＡＸ装置１１から受信したＦＡＸデータを印刷することもできるし、受信したＦＡＸデータをクラウドサーバ１２に転送することもできる。
【００３９】
また、ＦＡＸ装置１０は電話機として用いることもできる。具体的には、ＦＡＸ装置１０には通話のための受話器が設けられており、ユーザは受話器を用いて通話することができる。また、ＦＡＸ装置１０には一般の電話機における所謂子機１５（１５Ａ〜１５Ｃ）が無線接続されており、ユーザは子機１５を用いて通話することもできる。
【００４０】
クラウドサーバ１２はデータを記憶するサービスを提供するサーバである。クラウドサーバ１２は例えば外部のサービス提供業者によって管理されている。クラウドサーバ１２にデータを記憶させたりクラウドサーバ１２に記憶されているデータにアクセスしたりするためには予めクラウドサーバ１２で実行されているサービスにユーザＩＤやパスワードなどのサインイン情報を送信してサインインする必要がある。
【００４１】
ここで、サービスはサーバで実行されている常駐プログラムであり、ＵＮＩＸ（登録商標）の場合はデーモンと呼ばれているものである。サインインは所謂ログインと同義であり、クラウドサーバ１２で実行されているサービスにサインイン情報を送信してサービスの利用許諾状態になることをいう。
【００４２】
（２）ＦＡＸ装置の電気的構成
次に、図２を参照して、ＦＡＸ装置１０の電気的構成について説明する。ＦＡＸ装置１０は、制御部２１、表示部２２、操作部２３、回線通信部２４、画像読取部２５、印刷部２６、ネットワーク通信部２７、通話部２８、子機通信部２９を備えて構成されている。
【００４３】
制御部２１はＣＰＵ２１Ａ、ＲＯＭ２１Ｂ、ＲＡＭ２１Ｃ、ＡＳＩＣ２１Ｄ、ＥＥＰＲＯＭ２１Ｅなどを備えて構成されている。ＣＰＵ２１ＡはＲＯＭ２１Ｂに記憶されている制御プログラムを実行することによってＦＡＸ装置１０の各部を制御する。ＲＯＭ２１ＢにはＣＰＵ２１Ａによって実行される制御プログラムや各種のデータなどが記憶されている。ＲＡＭ２１ＣはＣＰＵ２１Ａが各種の処理を実行するための主記憶装置として用いられる。ＥＥＰＲＯＭ２１Ｅは各種のデータを記憶する不揮発性メモリである。ＥＥＰＲＯＭ２１Ｅには後述する対応付けテーブル４０（図３参照）が記憶されている。ＥＥＰＲＯＭ２１Ｅは記憶部の一例である。
【００４４】
表示部２２は液晶ディスプレイなどの表示装置、表示装置を駆動する駆動回路などを備えて構成されている。
操作部２３は表示装置を覆うタッチパネル、その他各種の操作ボタンなどを備えている。ユーザは操作部２３を操作することによって各種の指示や情報を入力することができる。
【００４５】
回線通信部２４はＮＣＵ（Ｎｅｔｗｏｒｋ  Ｃｏｎｔｒｏｌ  Ｕｎｉｔ）、モデム、着信音を鳴らすためのスピーカ、これらを制御する制御回路などを備えており、外部のＦＡＸ装置１１との間で電話網１３を介してＦＡＸデータを送受信する。また、回線通信部２４は通話部２８による通話にも用いられる。回線通信部２４はデータ受信部の一例である。
【００４６】
画像読取部２５は原稿を照射する光源、イメージセンサ、原稿によって反射された光をイメージセンサに結像する光学系などを備えており、原稿を読み取って画像データを生成する。生成された画像データは回線通信部２４によって外部のＦＡＸ装置１１に送信される。
【００４７】
印刷部２６は回線通信部２４によって受信したＦＡＸデータが表す画像を印刷用紙などのシートに電子写真方式やインクジェット方式などで印刷する。
ネットワーク通信部２７はＦＡＸ装置１０を通信ネットワーク１４に接続するためのハードウェアである。ネットワーク通信部２７はデータ転送部の一例である。
【００４８】
通話部２８は回線通信部２４を介して外部の電話機と通話するためのものである。通話部２８は受話器、オフフック検出部などを備えている。オフフック検出部は受話器を持ち上げて回線を閉結する所謂オフフック、及び、受話器を元の位置に置くことによって回線を切断する所謂オンフックを検出するための機械的にオン／オフされるスイッチである。
【００４９】
子機通信部２９は子機１５と無線通信するためのハードウェアである。子機１５との無線通信は例えばＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）と呼ばれる通信規格に従って行われる。
【００５０】
（３）ＦＡＸデータの自動受信、及び、手動受信
ＦＡＸ装置１０は二つの方法でＦＡＸデータを受信することができる。一つは自動受信であり、もう一つは手動受信である。
【００５１】
先ず、自動受信について説明する。ＦＡＸ装置１０に着信があったとき、ＦＡＸ装置１０は着信音を一定回数鳴らしても受話器又は子機１５でオフフックが行われなかった場合は自動でオフフックする。そして、ＦＡＸ装置１０はその着信がＦＡＸ着信である場合はＦＡＸデータを受信する。つまり、自動受信ではユーザが介在することなくＦＡＸデータが受信される。
【００５２】
次に、手動受信について説明する。手動受信はユーザからＦＡＸデータの受信指示を受け付けた場合にＦＡＸデータを受信するものである。手動受信にはＦＡＸ着信があった場合に行われる手動受信と、外部のＦＡＸ装置１１のユーザとの通話中に行われる手動受信とがある。
【００５３】
先ず、ＦＡＸ着信があった場合に行われる手動受信について説明する。着信音が一定回数に達する前にユーザが受話器あるいは子機１５でオフフックを行ったとき、「ポーポー」のようにＦＡＸ着信であることを示す音がしていたら、ユーザは操作部２３あるいは子機１５のＦＡＸボタンを押下してＦＡＸモードにし、ＦＡＸ受信のスタートボタンを押下する。これにより、ＦＡＸ装置１０によってＦＡＸデータの受信指示が受け付けられる。
【００５４】
次に、外部のＦＡＸ装置１１のユーザとの通話中に行われる手動受信について説明する。外部のＦＡＸ装置１１のユーザとの通話中に行われる手動受信は、外部のＦＡＸ装置１１が電話機能付きのＦＡＸ装置であり、ＦＡＸ装置１０のユーザが受話器あるいは子機１５を用いて外部のＦＡＸ装置１１のユーザと通話しているときに行われる。
【００５５】
具体的には、ＦＡＸ装置１０のユーザは、外部のＦＡＸ装置１１のユーザと通話しているとき、ＦＡＸモードに切り替えることを外部のＦＡＸ装置１１のユーザに伝え、その後に操作部２３あるいは子機１５のＦＡＸボタンを押下してＦＡＸモードにし、ＦＡＸ受信のスタートボタンを押下する。これにより、ＦＡＸ装置１０によってＦＡＸデータの受信指示が受け付けられる。
【００５６】
ＦＡＸ装置１０は受信指示を受け付けると外部のＦＡＸ装置１１にＦＡＸデータの送信を要求し、当該外部のＦＡＸ装置１１からＦＡＸデータを受信する。ＦＡＸ装置１０が受信指示を受け付ける処理は受付処理の一例である。
【００５７】
（４）転送設定
転送設定とは、外部のＦＡＸ装置１１から受信したＦＡＸデータをクラウドサーバ１２に転送するか否かの設定である。ＦＡＸ装置１０のユーザは、外部のＦＡＸ装置１１から受信したＦＡＸデータがクラウドサーバ１２に転送されるようにしたい場合は予め操作部２３を操作して転送設定をオンにしておく。逆に、転送されないようにしたい場合は、ユーザは転送設定をオフにしておく。ＣＰＵ２１Ａがユーザから転送設定を受け付ける処理は設定処理の一例である。
【００５８】
ＦＡＸ装置１０は、ＦＡＸデータを受信したとき、転送設定がオンである場合は、後述する選択画面５０（図４参照）をＦＡＸ装置１０の表示部２２あるいは子機１５が備える表示部に表示してユーザから転送先のクラウドサーバ１２の選択を受け付ける。そして、ＦＡＸ装置１０はユーザによって選択されたクラウドサーバ１２にそのＦＡＸデータを転送する。
【００５９】
一方、転送設定がオフである場合は、ＦＡＸ装置１０は、ＦＡＸデータを受信したとき、選択画面を表示せず、受信したＦＡＸデータをＲＡＭ２１Ｃに記憶する。ＲＡＭ２１Ｃに記憶されたＦＡＸデータはその後にユーザによって印刷が指示されたときに印刷部２６によって印刷される。
【００６０】
ただし、本実施形態では、ＦＡＸ装置１０は、自動受信によってＦＡＸデータを受信した場合は、転送設定がオンであってもＦＡＸデータを転送しない。この理由については後述する。ＦＡＸ装置１０は、ＦＡＸデータを転送しない場合はそのＦＡＸデータをＲＡＭ２１Ｃに記憶する。
【００６１】
（５）転送先のクラウドサーバの選択
前述したように、ＦＡＸ装置１０は、手動受信によってＦＡＸデータを受信したとき、転送設定がオンである場合は、ＦＡＸ装置１０の表示部２２あるいは子機１５が備える表示部に選択画面５０（図４参照）を表示して転送先のクラウドサーバ１２の選択を受け付ける。この表示において、ＦＡＸ装置１０は、受信したＦＡＸデータに関する情報に対応付けられているクラウドサーバ１２が、その情報に対応付けられていないクラウドサーバ１２より優先して表示される選択画面５０を表示する。以下、具体的に説明する。
【００６２】
（５−１）ＦＡＸデータに関する情報
先ず、ＦＡＸデータに関する情報について説明する。ＦＡＸデータに関する情報とは、具体的にはＦＡＸデータの属性を示す情報、ＦＡＸデータの転送元を示す情報などである。ＦＡＸデータの属性とは、カラー／モノクロ属性、高画質／低画質属性などである。
【００６３】
カラー／モノクロ属性は、ＦＡＸデータがカラーの画像を表すものであるかモノクロの画像を表すものであるかを示す情報である。ここでモノクロとは、白、黒、及び、グレーのみからなること、すなわち無彩色のみからなることをいう。また、カラーとは、無彩色以外の色を含むこと、すなわち有彩色を含むことをいう。カラー／モノクロ属性はＦＡＸデータが表す画像に有彩色が含まれているか否かを示す情報の一例である。
【００６４】
カラー／モノクロ属性は外部のＦＡＸ装置１１から送信される。具体的には、ＦＡＸ装置１０は外部のＦＡＸ装置１１からＦＡＸデータを受信するとき、外部のＦＡＸ装置１１との間でネゴシエーションを行う。このネゴシエーションにおいて、ＦＡＸ装置１０は外部のＦＡＸ装置１１に自装置の能力を送信し、外部のＦＡＸ装置１１は受信した能力に応じてＦＡＸ装置１０にカラー／モノクロ属性を送信する。
【００６５】
例えば、外部のＦＡＸ装置１１は、送信対象のＦＡＸデータがカラーである場合は、ＦＡＸ装置１０がカラーに対応しているか否かを上述した能力から判断し、カラーに対応している場合はカラー／モノクロ属性としてカラーを示す情報を送信する。
【００６６】
高画質／低画質属性は、ＦＡＸデータが高画質の画像を表すものであるか低画質の画像を表すものであるかを示す情報である。高画質／低画質属性はＦＡＸデータが表す画像の画質を示す情報の一例である。高画質／低画質属性も上述したネゴシエーションにおいて外部のＦＡＸ装置１１から送信される。高画質／低画質属性を送信する場合も、外部のＦＡＸ装置１１はＦＡＸ装置１０の能力に応じてＦＡＸ装置１０に高画質／低画質属性を送信する。
【００６７】
ＦＡＸ装置１０が外部のＦＡＸ装置１１に自装置の能力を送信する処理は能力通知処理の一例である。ＦＡＸ装置１０が外部のＦＡＸ装置１１からＦＡＸデータに関する情報を受信する処理は関連情報受信処理の一例である。
【００６８】
ＦＡＸデータの転送元を示す情報は、ＦＡＸ装置１０にＦＡＸデータを送信した外部のＦＡＸ装置１１の電話番号のことである。外部のＦＡＸ装置１１の電話番号は外部のＦＡＸ装置１１からＦＡＸ装置１０に送信される。外部のＦＡＸ装置１１の電話番号は送信元を識別する識別情報の一例である。また、ＦＡＸ装置１０が外部のＦＡＸ装置１１から電話番号を受信する処理は識別受信処理の一例である。
【００６９】
（５−２）ＦＡＸデータに関する情報とクラウドサーバとの対応付け
次に、ＦＡＸデータに関する情報とクラウドサーバとの対応付けについて説明する。クラウドサーバ１２が複数ある場合、ユーザは受信したＦＡＸデータに関する情報に応じて転送先のクラウドサーバ１２を選択したい場合がある。例えば、ユーザはＦＡＸデータがカラーであればクラウドサーバ１２Ａに転送し、モノクロであればクラウドサーバ１２Ｂに転送したい場合がある。あるいは、ユーザはＦＡＸデータの送信元がＸ社であればクラウドサーバ１２Ｂに転送し、転送元がＹ社であればクラウドサーバ１２Ｄに転送したい場合がある。
【００７０】
そこで、本実施形態では、ＦＡＸデータに関する情報とクラウドサーバ１２との対応関係を予め図３に示す対応付けテーブル４０に登録しておくことができる。対応付けテーブル４０はＦＡＸ装置１０のＥＥＰＲＯＭ２１Ｅに記憶されている。この対応付けはユーザが操作部２３を操作することによって行うことができる。
【００７１】
図３に示す例では、例えば受信したＦＡＸデータのカラー／モノクロ属性がカラーであり、高画質／低画質属性が高画質であり、そのＦＡＸデータの送信元がＡ社である場合は、転送先としてクラウドサーバ１２Ａ、１２Ｃ、及び、１２Ｆが対応付けられている。
【００７２】
また、例えば受信したＦＡＸデータのカラー／モノクロ属性がカラーであり、高画質／低画質属性が高画質であり、そのＦＡＸデータの送信元がＡ社、Ｂ社、及び、Ｃ社以外である場合は、転送先としてクラウドサーバ１２Ｄが対応付けられている。
【００７３】
（５−３）選択画面
次に、図４を参照して、選択画面５０について説明する。選択画面５０には、ＦＡＸデータに関する情報に対応付けられているクラウドサーバ１２が表示される一方、ＦＡＸデータに関する情報に対応付けられていないクラウドサーバ１２は表示されない。選択画面５０は、受信したＦＡＸデータに関する情報に対応付けられている転送先が、その情報に対応付けられていない転送先より優先して表示される選択画面の一例である。
【００７４】
例えば、受信したＦＡＸデータのカラー／モノクロ属性がカラーであり、高画質／低画質属性が高画質であり、送信元の電話番号がＡ社の電話番号であるとする。この場合、図３に示す対応付けテーブル４０によれば、ＦＡＸデータに関する情報に対応付けられているクラウドサーバ１２はクラウドサーバ１２Ａ、１２Ｃ、及び、１２Ｆであり、ＦＡＸデータに関する情報に対応付けられていないクラウドサーバ１２はクラウドサーバ１２Ｂ、１２Ｄ、及び、１２Ｅである。
【００７５】
この場合、ＦＡＸ装置１０は、図４に示すように、クラウドサーバ１２Ａ、１２Ｃ、及び、１２Ｆを選択画面５０に表示する一方、クラウドサーバ１２Ｂ、１２Ｄ、及び、１２Ｅは選択画面５０に表示しない。
【００７６】
（５−４）サインイン情報
前述したようにクラウドサーバ１２にデータを記憶させたりクラウドサーバ１２に記憶されているデータにアクセスしたりするためにはクラウドサーバ１２にサインインする必要がある。そのため、ＥＥＰＲＯＭ２１Ｅにはクラウドサーバ１２のサインイン情報が記憶されている。しかしながら、ＥＥＰＲＯＭ２１Ｅには必ずしも対応付けテーブル４０に登録されている全てのクラウドサーバ１２についてサインイン情報が記憶されているとは限らない。
【００７７】
サインイン情報が記憶されていないクラウドサーバ１２にはＦＡＸデータを転送できないので、そのようなクラウドサーバ１２まで選択画面５０に表示させるとユーザが混乱する虞がある。そこで、ＦＡＸ装置１０は、ＦＡＸデータに関する情報に対応付けられているクラウドサーバ１２であっても、ＥＥＰＲＯＭ２１Ｅにサインイン情報が記憶されていないクラウドサーバ１２については選択画面５０に表示しない。
【００７８】
図４に示す選択画面５０ではクラウドサーバ１２Ａ、１２Ｃ、及び、１２Ｆが表示されているが、例えばクラウドサーバ１２ＦについてはＥＥＰＲＯＭ２１Ｅにサインイン情報が記憶されていなかったとすると、クラウドサーバ１２Ｆは選択画面５０に表示されないことになる。
【００７９】
なお、クラウドサーバ１２によってはサインインが不要な場合も考えられる。そのようなクラウドサーバ１２の場合はＥＥＰＲＯＭ２１Ｅにサインイン情報が記憶されていなくても選択画面５０に表示されるものとする。
【００８０】
（６）ＦＡＸデータの転送の例外
前述したように、ＦＡＸ装置１０は、自動受信によってＦＡＸデータを受信した場合は、転送設定がオンであってもＦＡＸデータを転送せずにＲＡＭ２１Ｃに記憶する。以下、その理由について説明する。
【００８１】
自動受信の場合はＦＡＸデータを転送しない理由は、自動受信の場合は、ＦＡＸ装置１０がＦＡＸデータを受信したとき、ユーザが操作部２３あるいは子機１５を操作しているとは限らないからである。ユーザがＦＡＸ装置１０や子機１５を操作していない場合は選択画面５０を表示しても転送先が選択されないので、ＦＡＸ装置１０は受信したＦＡＸデータを転送せずにＲＡＭ２１Ｃに記憶する。
【００８２】
これに対し、手動受信の場合はＦＡＸデータを転送する理由は、手動受信の場合は、ＦＡＸデータを受信したとき、ユーザが操作部２３あるいは子機１５を操作しているので、ユーザに転送先のクラウドサーバ１２を選択させることができるからである。
【００８３】
（７）ＦＡＸデータを受信したときの処理
次に、図５を参照して、ＦＡＸデータを受信したときの処理について説明する。本処理はＦＡＸデータを受信すると開始される。ここで、前述したようにＦＡＸデータを受信する場合としては、自動受信によって受信する場合、ＦＡＸ着信があった場合に行われる手動受信によって受信する場合、外部のＦＡＸ装置１１のユーザとの通話中に行われる手動受信によって受信する場合がある。本処理はどの場合であっても実行される。
【００８４】
Ｓ１０１では、ＣＰＵ２１Ａは自動受信による受信であるか否かを判断し、自動受信による受信である場合（Ｓ１０１：Ｙｅｓ）はＳ１０２に進み、自動受信以外による受信である場合（Ｓ１０１：Ｎｏ）はＳ１０３に進む。
Ｓ１０２では、ＣＰＵ２１Ａは受信したＦＡＸデータをＲＡＭ２１Ｃに記憶する。
【００８５】
Ｓ１０３では、ＣＰＵ２１Ａは転送設定がオンであるか否かを判断し、オンである場合（Ｓ１０３：Ｙｅｓ）はＳ１０４に進み、オンではない場合、すなわちオフである場合（Ｓ１０３：Ｎｏ）はＳ１０２に進む。
Ｓ１０４では、ＣＰＵ２１Ａは選択・転送処理を実行する。選択・転送処理は選択画面５０を表示してユーザから転送先のクラウドサーバ１２の選択を受け付け、選択されたクラウドサーバ１２にＦＡＸデータを転送する処理である。選択・転送処理の詳細については後述する。
【００８６】
（７−１）選択・転送処理
次に、図６を参照して、Ｓ１０４で実行される選択・転送処理について説明する。
Ｓ２０１では、ＣＰＵ２１Ａは対応付けテーブル４０に登録されているクラウドサーバ１２の中からＥＥＰＲＯＭ２１Ｅにサインイン情報が記憶されているクラウドサーバ１２を抽出する。
【００８７】
Ｓ２０２では、ＣＰＵ２１Ａは受信したＦＡＸデータのカラー／モノクロ属性がカラーであるかモノクロであるかを判断し、カラーである場合（Ｓ２０２：Ｙｅｓ）はＳ２０３に進み、モノクロである場合（Ｓ２０２：Ｎｏ）はＳ２０６に進む。
Ｓ２０３では、ＣＰＵ２１Ａは受信したＦＡＸデータの高画質／低画質属性が高画質であるか低画質であるかを判断し、高画質である場合（Ｓ２０３：Ｙｅｓ）はＳ２０４に進み、低画質である場合（Ｓ２０３：Ｎｏ）はＳ２０５に進む。
【００８８】
Ｓ２０４では、ＣＰＵ２１Ａは選択画面５０を表示させる。より具体的には、ＣＰＵ２１Ａは、操作部２３で受信指示を受け付けた場合はＦＡＸ装置１０の表示部２２に選択画面５０を表示させ、子機１５から受信指示を受け付けた場合は子機１５が備える表示部２２に選択画面５０を表示させる。そして、ＣＰＵ２１Ａは、Ｓ２０１で抽出したクラウドサーバ１２のうち、カラー、高画質、及び、受信したＦＡＸデータの送信元に対応付けられているクラウドサーバ１２を選択画面５０に表示させる。Ｓ２０４は出力処理の一例である。
【００８９】
Ｓ２０５では、ＣＰＵ２１ＡはＳ２０４と同様に選択画面５０を表示させる。そして、ＣＰＵ２１Ａは、Ｓ２０１で抽出したクラウドサーバ１２のうち、カラー、低画質、及び、受信したＦＡＸデータの送信元に対応付けられているクラウドサーバ１２を選択画面５０に表示させる。Ｓ２０５は出力処理の一例である。
【００９０】
Ｓ２０６では、ＣＰＵ２１ＡはＳ２０４と同様に選択画面５０を表示させる。そして、ＣＰＵ２１Ａは、Ｓ２０１で抽出したクラウドサーバ１２のうち、モノクロ、及び、受信したＦＡＸデータの送信元に対応付けられているクラウドサーバ１２を選択画面５０に表示させる。Ｓ２０６は出力処理の一例である。
【００９１】
Ｓ２０７では、ＣＰＵ２１Ａは転送処理を実行する。転送処理は選択されたクラウドサーバ１２にＦＡＸデータを転送する処理である。転送処理の詳細については後述する。
【００９２】
（７−２）転送処理
次に、図７を参照して、Ｓ２０７で実行される転送処理について説明する。
Ｓ３０１では、ＣＰＵ２１Ａは選択画面５０を表示してから一定時間が経過したか否かを判断し、経過した場合（Ｓ３０１：Ｙｅｓ）はＳ３０２に進み、経過していない場合（Ｓ３０１：Ｎｏ）はＳ３０３に進む。
【００９３】
Ｓ３０２では、ＣＰＵ２１Ａは予め設定されているクラウドサーバ１２にＦＡＸデータを転送する。予め設定されているクラウドサーバ１２はユーザが操作部２３を操作して設定したものである。
Ｓ３０３では、ＣＰＵ２１Ａは選択画面５０でユーザによってクラウドサーバ１２が選択されたか否かを判断し、選択された場合（Ｓ３０３：Ｙｅｓ）はＳ３０４に進み、選択されていない場合（Ｓ３０３：Ｎｏ）はＳ３０１に戻って処理を繰り返す。
【００９４】
Ｓ３０４では、ＣＰＵ２１Ａはネットワーク通信部２７を用いて、選択されたクラウドサーバ１２にサインイン情報を送信する。
Ｓ３０５では、ＣＰＵ２１Ａは選択されたクラウドサーバ１２へのサインインが成功した後に、ネットワーク通信部２７を用いて、受信したＦＡＸデータを当該クラウドサーバ１２に転送する。Ｓ３０５は転送処理の一例である。
【００９５】
（８）実施形態の効果
以上説明したＦＡＸ装置１０によると、受信したＦＡＸデータに関する情報に対応付けられているクラウドサーバ１２が、当該情報に対応付けられていないクラウドサーバ１２より優先して表示される選択画面５０を表示させる。このためＦＡＸ装置１０によると、ＦＡＸデータに関する情報に関係なく全てのクラウドサーバ１２を表示する場合に比べ、複数のクラウドサーバ１２の中から受信したＦＡＸデータに関する情報に応じたクラウドサーバ１２を選択する際のユーザの利便性が向上する。
【００９６】
更に、ＦＡＸ装置１０によると、カラー／モノクロ属性がカラーを示す情報である場合はカラーを示す情報に対応付けられているクラウドサーバ１２が優先して表示されるので、カラーを示す情報に応じたクラウドサーバ１２を選択する際のユーザの利便性が向上する。また、ＦＡＸ装置１０によると、カラー／モノクロ属性がモノクロを示す情報である場合はモノクロを示す情報に対応付けられているクラウドサーバ１２が優先して表示されるので、モノクロを示す情報に応じたクラウドサーバ１２を選択する際のユーザの利便性が向上する。
【００９７】
更に、ＦＡＸ装置１０によると、高画質／低画質属性が高画質を示す情報である場合は高画質を示す情報に対応付けられているクラウドサーバ１２が優先して表示されるので、高画質を示す情報に応じたクラウドサーバ１２を選択する際のユーザの利便性が向上する。また、ＦＡＸ装置１０によると、高画質／低画質属性が低画質を示す情報である場合は低画質を示す情報に対応付けられているクラウドサーバ１２が優先して表示されるので、低画質を示す情報に応じたクラウドサーバ１２を選択する際のユーザの利便性が向上する。
【００９８】
更に、ＦＡＸ装置１０によると、ＦＡＸデータに関する情報に対応付けられているクラウドサーバ１２を表示する一方、当該情報に対応付けられていないクラウドサーバ１２は表示しないことにより、受信したＦＡＸデータに関する情報に対応付けられているクラウドサーバ１２を、当該情報に対応付けられていないクラウドサーバ１２より優先して表示させることができる。
【００９９】
更に、ＦＡＸ装置１０によると、ＥＥＰＲＯＭ２１Ｅにサインイン情報が記憶されていないクラウドサーバ１２は選択画面５０に表示されないので、ＦＡＸデータを転送できないクラウドサーバ１２が選択画面５０に表示されてしまわないようにすることができる。
【０１００】
更に、ＦＡＸ装置１０によると、転送設定がオフの場合は選択画面５０を出力しないことにより、選択画面５０の不要な出力を抑制できる。
【０１０１】
更に、ＦＡＸ装置１０によると、操作部２３で手動受信の受信指示を受け付けた場合はＦＡＸ装置１０が備える表示部２２に選択画面５０を出力する。ＦＡＸ装置１０が備える操作部２３でユーザが受信指示を行った場合は、ＦＡＸ装置１０が受信指示を受け付けたとき、ユーザがＦＡＸ装置１０の近くにいる可能性が高い。このため、操作部２３で受信指示を受け付けた場合はＦＡＸ装置１０が備える表示部２２に選択画面５０を出力すると、受信指示を行ったユーザはその場でクラウドサーバ１２を選択することができる。このため、ＦＡＸ装置１０以外の装置に選択画面５０を出力する場合に比べ、受信指示を行ったユーザの利便性が向上する。
【０１０２】
更に、ＦＡＸ装置１０によると、外部のＦＡＸ装置１１とのネゴシエーションにおいて自装置の能力をＦＡＸデータの送信元に通知し、外部のＦＡＸ装置１１からＦＡＸデータに関する情報を受信することにより、自装置の能力に応じたファクシミリデータに関する情報に基づいて選択画面を表示することができる。
【０１０３】
更に、ＦＡＸ装置１０によると、外部のＦＡＸ装置１１から電話番号を受信することにより、ＦＡＸデータの送信元を識別することができる。
【０１０４】
＜実施形態２＞
次に、実施形態２を図８によって説明する。
前述した実施形態１では、手動受信によってＦＡＸデータを受信したとき、転送設定がオンである場合は、転送先のクラウドサーバ１２を選択するための選択画面５０を表示する場合を例に説明した。これに対し、実施形態２に係るＦＡＸ装置１０には予めＥＥＰＲＯＭ２１Ｅに電話番号が記憶されている。実施形態２に係るＦＡＸ装置１０は、受信したＦＡＸデータの送信元の電話番号がＥＥＰＲＯＭ２１Ｅに記憶されている場合は選択画面５０を表示する一方、記憶されていない場合は選択画面５０を表示せず、予め設定されているクラウドサーバ１２に転送する。
【０１０５】
ＥＥＰＲＯＭ２１Ｅに電話番号が記憶されている送信元は、出力処理を実行する送信元の一例である。また、ＥＥＰＲＯＭ２１Ｅに記憶されている電話番号は判断情報の一例である。
【０１０６】
図８を参照して、実施形態２に係るＦＡＸデータを受信したときの処理について説明する。ここでは実施形態１と実質的に同一の処理には同一の符号を付して説明を省略する。
【０１０７】
Ｓ４０１では、ＣＰＵ２１Ａは受信したＦＡＸデータの送信元の電話番号がＥＥＰＲＯＭ２１Ｅに記憶されているか否かを判断し、記憶されていない場合（４０１：Ｎｏ）はＳ４０２に進み、記憶されている場合（４０１：Ｙｅｓ）はＳ１０４に進む。Ｓ４０１は判断処理の一例である。
Ｓ４０２では、ＣＰＵ２１Ａは予め設定されているクラウドサーバ１２にＦＡＸデータを転送する。
【０１０８】
以上説明したＦＡＸ装置１０によると、選択画面５０を出力するか否かをＦＡＸデータの送信元に応じて異ならせることができる。例えば、日頃からＦＡＸデータの送受信を行っている特定の送信元の場合は選択画面５０を表示させてユーザに転送先を選択させ、それ以外の送信元の場合は予め設定されているクラウドサーバ１２に転送させたい場合もある。
【０１０９】
実施形態２に係るＦＡＸ装置１０によると、特定の送信元の電話番号をＥＥＰＲＯＭ２１Ｅに記憶させておくことにより、ＦＡＸデータの送信元が当該特定の送信元である場合のみ選択画面５０を表示させてユーザに転送先を選択させることができる。これにより、ＦＡＸデータの送信元が特定の送信元である場合のみ転送先を選択したいユーザの利便性が向上する。
【０１１０】
＜実施形態３＞
次に、実施形態３を図９によって説明する。
前述した実施形態１では、手動受信によってＦＡＸデータを受信したとき、転送設定がオンである場合は、転送先のクラウドサーバ１２を選択するための選択画面５０を表示する場合を例に説明した。これに対し、実施形態３に係るＦＡＸ装置１０には予めＥＥＰＲＯＭ２１Ｅに電話番号と転送先とが対応付けられて記憶されている。実施形態３に係るＦＡＸ装置１０は、受信したＦＡＸデータの送信元の電話番号がＥＥＰＲＯＭ２１Ｅに記憶されている場合は選択画面５０を表示せずにその電話番号に対応付けられている転送先にＦＡＸデータを転送する一方、受信したＦＡＸデータの送信元の電話番号がＥＥＰＲＯＭ２１Ｅに記憶されていない場合は選択画面５０を表示する。
【０１１１】
図９を参照して、実施形態３に係るＦＡＸデータを受信したときの処理について説明する。ここでは実施形態１と実質的に同一の処理には同一の符号を付して説明を省略する。
【０１１２】
Ｓ５０１では、ＣＰＵ２１ＡはＦＡＸデータの送信元に転送先が対応付けられているか否かを判断する。具体的には、ＣＰＵ２１ＡはＦＡＸデータの送信元の電話番号がＥＥＰＲＯＭ２１Ｅに記憶されているか否かを判断する。ＣＰＵ２１Ａは、対応付けられている場合（５０１：Ｙｅｓ）はＳ５０２に進み、対応付けられていない場合（５０１：Ｎｏ）はＳ１０４に進む。
Ｓ５０２では、ＣＰＵ２１Ａは送信元に対応付けられているクラウドサーバ１２にＦＡＸデータを転送する。
【０１１３】
以上説明したＦＡＸ装置１０によると、ＦＡＸデータの送信元に転送先のクラウドサーバ１２が対応付けられている場合は選択画面５０を表示しない。ＦＡＸデータの送信元にクラウドサーバ１２が対応付けられている場合は対応付けられているクラウドサーバ１２にＦＡＸデータを転送すればよいので選択画面５０の表示は不要である。ＦＡＸ装置１０によると、ＦＡＸデータの送信元にクラウドサーバ１２が対応付けられている場合は選択画面５０を表示しないので、ＦＡＸデータの送信元にクラウドサーバ１２が対応付けられている場合にも選択画面５０を表示する場合に比べ、選択画面５０の不要な表示を抑制できる。
【０１１４】
＜実施形態４＞
次に、実施形態４を図１０Ａないし図１０Ｃによって説明する。
実施形態４では、選択画面の他の例についてまとめて説明する。
【０１１５】
図１０Ａに示す選択画面５１は、ＦＡＸデータに関する情報に対応付けられているクラウドサーバ１２が、当該情報に対応付けられていないクラウドサーバ１２より左側に表示される選択画面である。選択画面５１は、ＦＡＸデータに関する情報に対応付けられている転送先が、その情報に対応付けられていない転送先より優先して表示される選択画面の一例である。
【０１１６】
選択画面５１の表示直後は図１０Ａに示すようにクラウドサーバ１２の表示順で最も先に表示されるクラウドサーバ１２が表示領域の左端に表示される。クラウドサーバ１２の数が多くて全てのクラウドサーバ１２を一度に表示しきれない場合は、左にスクロールさせることによって右側にある非表示のクラウドサーバ１２を表示させることができる。図１０Ａでは非表示のクラウドサーバ１２を点線で示している。
【０１１７】
左側にあるクラウドサーバ１２は右側にあるクラウドサーバ１２に比べてスクロールせずに表示される可能性が高いので、あるいは少ないスクロール操作で表示される可能性が高いので、左側に表示した方が、受信したＦＡＸデータに関する情報に対応付けられているクラウドサーバ１２を選択する際のユーザのスクロール操作の負担が小さい。このため選択画面５１によると、ＦＡＸデータに関する情報に関係なくクラウドサーバ１２を表示する場合に比べ、複数のクラウドサーバ１２の中から受信したＦＡＸデータに関する情報に応じたクラウドサーバ１２を選択する際のユーザの利便性が向上する。
【０１１８】
図１０Ｂに示す選択画面５２は、ＦＡＸデータに関する情報に対応付けられているクラウドサーバ１２が通常表示される一方、ＦＡＸデータに関する情報に対応付けられていないクラウドサーバ１２はグレーアウトで表示される選択画面である。通常表示されているクラウドサーバ１２は選択できる一方、グレーアウトされているクラウドサーバ１２は選択することができない。選択画面５２は、ＦＡＸデータに関する情報に対応付けられている転送先であるか否かが識別可能に表示される選択画面の一例である。
【０１１９】
図１０Ｃに示す選択画面５３は、ＦＡＸデータに関する情報に対応付けられているクラウドサーバ１２の上にその旨を示すマーク５３Ａが表示される一方、ＦＡＸデータに関する情報に対応付けられていないクラウドサーバ１２にはマーク５３Ａが表示されない選択画面である。選択画面５３は、ＦＡＸデータに関する情報に対応付けられている転送先であるか否かが識別可能に表示される選択画面の一例である。
【０１２０】
なお、ＦＡＸデータに関する情報に対応付けられていないクラウドサーバ１２の上にその旨を示すマークを表示し、ＦＡＸデータに関する情報に対応付けられているクラウドサーバ１２にはそのマークを表示しないようにしてもよい。
【０１２１】
あるいは、ＦＡＸデータに関する情報に対応付けられていないクラウドサーバ１２の上にはその旨を示すマークを表示し、ＦＡＸデータに関する情報に対応付けられていないクラウドサーバ１２の上にはその旨を示す別のマークを表示してもよい。
【０１２２】
あるいは、ＦＡＸデータに関する情報に対応付けられているクラウドサーバ１２は赤色で表示し、ＦＡＸデータに関する情報に対応付けられていないクラウドサーバ１２は黒色で表示してもよい。
【０１２３】
選択画面５２及び５３によると、ＦＡＸデータに関する情報に関係なくクラウドサーバ１２を表示する場合に比べ、複数のクラウドサーバ１２の中から受信したＦＡＸデータに関する情報に応じたクラウドサーバ１２を選択する際のユーザの利便性が向上する。
【０１２４】
＜他の実施形態＞
上記記述及び図面によって説明した実施形態に限定されるものではなく、例えば次のような実施形態も技術的範囲に含まれる。
【０１２５】
（１）上記実施形態では回線通信部２４を用いてＦＡＸデータを受信する場合を例に説明した。これに対し、通信ネットワーク１４に接続されている外部のＦＡＸ装置からネットワーク通信部２７を用いてＦＡＸデータを受信してもよい。この場合はネットワーク通信部２７がデータ受信部とデータ転送部とを兼ねることになる。
【０１２６】
（２）上記実施形態ではＦＡＸデータに関する情報としてＦＡＸデータの属性を示す情報とＦＡＸデータの転送元を示す情報とを例に説明した。しかしながら、ＦＡＸデータに関する情報はこれらに限られるものではない。例えばＦＡＸデータの属性を示す情報はＦＡＸデータのデータサイズを示す情報を含んでもよい。また、ＦＡＸデータに関する情報はＦＡＸデータの属性を示す情報のみであってもよいし、送信元のみであってもよい。
【０１２７】
（３）上記実施形態では自動受信の場合は選択画面５０を表示しない場合を例に説明した。これに対し、自動受信の場合も選択画面５０を表示してもよい。例えば自動受信したＦＡＸデータをＲＡＭ２１Ｃに蓄積し、所定のＬＥＤを点灯させるなどによってＲＡＭ２１ＣにＦＡＸデータが蓄積されていることをユーザに通知してもよい。そして、ＲＡＭ２１ＣにＦＡＸデータが蓄積されていることに気付いたユーザが操作部２３を操作して転送を指示した場合に選択画面５０を表示してもよい。
【０１２８】
（４）上記実施形態では、選択画面５０をＦＡＸ装置１０の表示部２２あるいは子機１５が備える表示部に表示してユーザから転送先のクラウドサーバ１２の選択を受け付ける例に説明した。これに対し、通信ネットワーク１４を介して接続される、ＰＣやスマートフォンの表示部に選択画面５０を表示させて、ユーザからの選択を受け付けるようにしてもよい。
【０１２９】
（５）上記実施形態２では受信したＦＡＸデータの送信元の電話番号がＥＥＰＲＯＭ２１Ｅに記憶されている場合に選択画面を表示する場合を例に説明した。これに対し、受信したＦＡＸデータの送信元の電話番号がＥＥＰＲＯＭ２１Ｅに記憶されている場合は選択画面を表示しない一方、記憶されていない場合は選択画面を表示するようにしてもよい。つまり、特定の送信元の場合は選択画面５０を表示させたくない場合に、当該特定の送信元の電話番号をＥＥＰＲＯＭ２１Ｅに記憶させるようにしてもよい。
【０１３０】
（６）上記実施形態２では、Ｓ４０１でＦＡＸデータの送信元の電話番号がＥＥＰＲＯＭ２１Ｅに記憶されていないと判断した場合はＳ４０２に進んでＦＡＸデータを予め設定されている転送先に転送する場合を例に説明した。これに対し、ＦＡＸデータの送信元の電話番号がＥＥＰＲＯＭ２１Ｅに記憶されていない場合はＦＡＸデータを転送せずにＲＡＭ２１Ｃに記憶させるようにしてもよい。
【０１３１】
（７）上記実施形態２及び３ではＳ１０３で転送設定がオンであるか否かを判断する場合を例に説明した。これに対し、Ｓ１０３を実行しないようにしてもよい。つまり、Ｓ１０１で手動受信と判断された場合はＳ４０１あるいはＳ５０１に進んでもよい。
【０１３２】
（８）上記実施形態では転送先としてクラウドサーバ１２を例に説明した。しかしながら、転送先はクラウドサーバ１２に限定されるものではない。例えば、転送先はＦＡＸデータの送信元のＦＡＸ装置とは別のＦＡＸ装置であってもよい。その場合は回線通信部２４がデータ転送部の一例である。また、転送先はＦＡＸ装置１０を所有する組織内の通信ネットワーク１４に接続されているファイルサーバなどであってもよい。
【０１３３】
（９）また、上記実施形態では図７に示すＳ３０１で一定時間が経過したと判断した場合はＳ３０２でＦＡＸデータを予め設定されているクラウドサーバ１２に転送する場合を例に説明した。これに対し、クラウドサーバ１２に転送せずにＲＡＭ２１Ｃに記憶してもよい。そして、ユーザがＦＡＸ装置１０を操作している際に、選択画面５０等を表示させ、選択されたクラウドサーバ１２に転送させてもよい。
【０１３４】
（１０）上記実施形態ではファクシミリ装置としてＦＡＸ装置１０を例に説明した。これに対し、ファクシミリ装置は印刷機能、画像読取機能、コピー機能、ＦＡＸ機能などを備える所謂複合機であってもよい。
【０１３５】
（１１）上記実施形態ではＣＰＵ２１Ａによって各処理が実行される場合を例に説明した。これに対し、これらの処理の一部はＡＳＩＣ２１Ｄによって実行されてもよい。また、制御部２１はＡＳＩＣ２１Ｄを備えていなくてもよい。また、制御部２１は複数のＣＰＵを備え、上述した処理を複数のＣＰＵによって分担して実行してもよい。
【符号の説明】
【０１３６】
１・・・ＦＡＸ受信・転送システム、１０・・・ＦＡＸ装置、１１・・・外部のＦＡＸ装置、１２・・・クラウドサーバ、１５・・・子機、２１・・・制御部、２２・・・表示部、２３・・・操作部、２４・・・回線通信部、２７・・・ネットワーク通信部、２９・・・子機通信部、５０、５１、５２、５３・・・選択画面
【図１】
2015070392.tif 000003
【図２】
2015070392.tif 000004
【図３】
2015070392.tif 000005
【図４】
2015070392.tif 000006
【図５】
2015070392.tif 000007
【図６】
2015070392.tif 000008
【図７】
2015070392.tif 000009
【図８】
2015070392.tif 000010
【図９】
2015070392.tif 000011
【図１０Ａ】
2015070392.tif 000012
【図１０Ｂ】
2015070392.tif 000013
【図１０Ｃ】
2015070392.tif 000014